(57)【特許請求の範囲】
【請求項１】
真空遮断器と、この真空遮断器が収納されると共に絶縁ガスが密封された遮断器容器と、前記真空遮断器に接続された母線断路器と、前記遮断器容器からガス区画され、前記母線断路器が収納されると共に前記絶縁ガスが密封された母線断路器容器と、前記真空遮断器に接続された線路断路器と、前記遮断器容器および前記母線断路器容器からガス区画され、前記線路断路器が収納されると共に前記絶縁ガスが密封された線路断路器容器と、をそれぞれ備えた複数のユニットが母線の延伸方向に配列され、前記各ユニットの母線断路器が前記母線で互いに接続されて成るガス絶縁開閉装置であって、
前記母線は、前記絶縁ガスが密封された母線容器内に収納されており、
前記絶縁ガスは、窒素ガスおよび地球温暖化係数が１以下のガスを主成分とする大気圧以上の混合ガスであり、
前記遮断器容器内のガス圧は前記線路断路器容器内のガス圧に等しく、
前記母線容器内のガス圧は前記母線断路器容器内のガス圧に等しく、
前記母線断路器容器内のガス圧および前記母線容器内のガス圧は、前記遮断器容器内のガス圧および前記線路断路器容器内のガス圧よりも高いこと
を特徴とするガス絶縁開閉装置。
【請求項２】
前記遮断器容器は、当該遮断器容器の軸方向に長尺の筒状であると共に、前記軸方向が当該遮断器容器の設置面に対して垂直になるように配置されており、
前記遮断器容器内の上端部には、前記母線断路器と前記真空遮断器との間を接続する導体に流れる電流を計測する母線側の計器用変流器が配置されており、
前記真空遮断器は、前記母線側の計器用変流器よりも下方に配置されるとともに、当該真空遮断器の上端部が前記線路断路器の側に向うように当該真空遮断器の長手方向が前記軸方向に対して傾斜するようにして配置されていることを特徴とする請求項１に記載のガス絶縁開閉装置。
【請求項３】
前記真空遮断器と前記線路断路器との間には、前記真空遮断器と前記線路断路器との間を接続する導体に流れる電流を計測する線路側の計器用変流器が配置されており、
前記線路側の計器用変流器は、前記遮断器容器と前記線路断路器容器とを接続する計器用変流器容器内に収納されており、
前記計器用変流器容器内には前記絶縁ガスが密封されており、
前記計器用変流器容器内のガス圧は前記線路断路器容器内のガス圧に等しいことを特徴とする請求項２に記載のガス絶縁開閉装置。
【発明の詳細な説明】
【技術分野】
【０００１】
本発明は、ガス絶縁開閉装置に関する。
【背景技術】
【０００２】
ガス絶縁開閉装置は、絶縁ガスが封入された容器内に遮断器等の機器を収納して構成される。絶縁ガスとしては、従来、絶縁性能および消弧性能に優れたＳＦ６ガスがよく使用されている。一方、ＳＦ６ガスは、大気中に放出された場合には、環境への影響が懸念される。そのため、ＳＦ６ガスを使用しないガス絶縁開閉装置の実用化もなされている。【０００３】
ＳＦ６ガスよりも絶縁性能の劣る絶縁ガスを使用する場合は、機器を収納する容器のサイズを大きくすることにより、ＳＦ６ガスを使用する場合と同じ絶縁性能を確保することができる。しかし、こうした場合は、機器のサイズが大きくなり、ガス絶縁開閉装置の大型化につながる。【０００４】
特許文献１には、真空遮断器、母線断路器、および線路断路器と、これらの機器をそれぞれ収納する容器とを備え、各容器内には窒素ガスおよび地球温暖化係数が１以下のガスを含む混合ガスが密封されたガス絶縁開閉装置が記載されている。このガス絶縁開閉装置では、真空遮断器が収納されている容器のガス圧が、母線断路器および線路断路器がそれぞれ収納されている容器のガス圧よりも低く設定されている。この構成により、ＳＦ６ガス等の地球温暖化ガスを使用しないことによる環境調和、ならびに、ガス絶縁開閉装置の小型化および軽量化を図っている。【０００５】
また、特許文献２には、真空遮断器および電気機器と、これらの機器をそれぞれ収納する容器とを備え、各容器内には絶縁ガスが密封されたガス絶縁開閉装置において、真空遮断器が収納されている容器のガス圧が、電気機器が収納されている容器のガス圧よりも低く設定されている。この構成により、電気機器が収納された容器の絶縁距離の短縮を図り、ガス絶縁開閉装置の小型化を図っている。
【先行技術文献】
【特許文献】
【０００６】
【特許文献１】特許第４２３７５９１号公報
【特許文献２】特開２００５−３０４２２４号公報
【発明の概要】
【発明が解決しようとする課題】
【０００７】
ところで、ガス絶縁開閉装置では、遮断器等の機器を含むユニットが母線方向に複数配列される構成が一般的である。一般に、ユニット間の距離は、設置スペースの制約から決められるので、ユニット間の距離を増大させる変更は受け入れ難いことが多い。【０００８】
したがって、ＳＦ６ガスが使用される機器からＳＦ６ガス以外の絶縁ガスが使用される機器に変更する場合に、容器のサイズを拡大することで絶縁性能の維持を図るときは、ユニット間の距離が従来よりも増大することとなり、ユニット間の距離を従来と同一にするという要求を満たすことが困難となる。【０００９】
一方、特許文献１または２では、真空遮断器が収納されている容器のガス圧が、他の機器が収納されている容器のガス圧よりも低く設定されている。このようにすることで、他の機器の容器のサイズを据え置くことが可能となるが、容器がガス圧の増大に耐え得るためには、容器の板厚をより厚くする必要があり、容器の重量はＳＦ６ガスを使用していた場合よりも増大することとなる。【００１０】
本発明は、上記に鑑みてなされたものであって、ＳＦ６ガスが使用される場合と同一のユニット間の距離を保ちつつ、ＳＦ６ガスを使用しないことによる環境調和、ならびに、機器の小型および軽量化を実現可能なガス絶縁開閉装置を提供することを目的とする。
【課題を解決するための手段】
【００１１】
上述した課題を解決し、目的を達成するために、本発明に係るガス絶縁開閉装置は、真空遮断器と、この真空遮断器が収納されると共に絶縁ガスが密封された遮断器容器と、前記真空遮断器に接続された母線断路器と、前記遮断器容器からガス区画され、前記母線断路器が収納されると共に前記絶縁ガスが密封された母線断路器容器と、前記真空遮断器に接続された線路断路器と、前記遮断器容器および前記母線断路器容器からガス区画され、前記線路断路器が収納されると共に前記絶縁ガスが密封された線路断路器容器と、をそれぞれ備えた複数のユニットが母線の延伸方向に配列され、前記各ユニットの母線断路器が前記母線で互いに接続されて成るガス絶縁開閉装置であって、前記母線は、前記絶縁ガスが密封された母線容器内に収納されており、前記絶縁ガスは、窒素ガスおよび地球温暖化係数が１以下のガスを主成分とする大気圧以上の混合ガスであり、前記遮断器容器内のガス圧は前記線路断路器容器内のガス圧に等しく、前記母線容器内のガス圧は前記母線断路器容器内のガス圧に等しく、前記母線断路器容器内のガス圧および前記母線容器内のガス圧は、前記遮断器容器内のガス圧および前記線路断路器容器内のガス圧よりも高いことを特徴とする。
【発明の効果】
【００１２】
本発明によれば、ＳＦ６ガスが使用される場合と同一のユニット間の距離を保ちつつ、ＳＦ６ガスを使用しないことによる環境調和、ならびに、機器の小型および軽量化を実現することができる、という効果を奏する。
【図面の簡単な説明】
【００１３】
【図１】図１は、実施の形態１に係るガス絶縁開閉装置の構成を示す縦断面図である。
【図２】図２は、実施の形態１に係るガス絶縁開閉装置の構成を示す側面図である。
【図３】図３は、実施の形態２に係るガス絶縁開閉装置の構成を示す縦断面図である。
【図４】図４は、比較例に係るガス絶縁開閉装置の構成を示す縦断面図である。
【発明を実施するための形態】
【００１４】
以下に、本発明の実施の形態に係るガス絶縁開閉装置を図面に基づいて詳細に説明する。なお、この実施の形態によりこの発明が限定されるものではない。
【００１５】
実施の形態１．
図１は、本実施の形態に係るガス絶縁開閉装置の構成を示す縦断面図である。図２は、本実施の形態に係るガス絶縁開閉装置の構成を示す側面図である。
【００１６】
図１および図２に示すように、ガス絶縁開閉装置１は、複数のユニット５を母線１７，１８で互いに接続して構成されている。なお、ガス絶縁開閉装置１は例えば三相一括型とするが、相分離型でも同様に構成することができる。まず、ユニット５の構成について説明する。
【００１７】
ユニット５は、真空遮断器１０と、真空遮断器１０が収納される遮断器容器１０ａとを備えている。遮断器容器１０ａは、筒状（例えば円筒状）の金属容器である。遮断器容器１０ａは、軸方向に長尺であり、軸方向が設置面９０に対して垂直になるように配置されている。ここで、設置面９０は、ガス絶縁開閉装置１の設置面である。遮断器容器１０ａは、例えば三つの引出口を備えている。遮断器容器１０ａ内には、絶縁ガスが密封されている。絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。
【００１８】
真空遮断器１０は、例えば、遮断器容器１０ａの軸方向に長尺である。真空遮断器１０は、真空容器１０ｂ内に可動接触子（図示せず）および固定接触子（図示せず）を備えている。真空容器１０ｂは、内部を真空に保つように金属容器で構成されている。真空遮断器１０による電流遮断は、この真空容器１０ｂ内で可動接触子が固定接触子から切り離されることでなされる。遮断方向は、真空遮断器１０の長手方向である。遮断器容器１０ａは架台５０上に載置され、架台５０の横には真空遮断器１０を操作するための遮断器操作装置１１が配置されている。
【００１９】
ユニット５は、さらに、母線断路器１５と、母線断路器１５が収納される母線断路器容器１５ａと、母線断路器１６と、母線断路器１６が収納される母線断路器容器１６ａとを備えている。母線断路器１５は、母線断路器１６よりも上方に配置される。母線断路器１５は、母線１７に接続されている。母線断路器１６は、母線１８に接続されている。母線１７，１８は、冗長性を確保するための二重母線を構成している。なお、本実施の形態は、単母線方式または二重母線方式以外の複母線方式にも適用することができる。
【００２０】
母線断路器１５は、導体２０を介して、真空遮断器１０と接続されている。母線断路器１５は、例えば接地開閉器付の断路器であり、ブレード形の可動接触子を回動させることで断路器本体または接地開閉器の入切をする。母線断路器１５を操作するための母線断路器操作装置１５ｃは例えば母線断路器１５の下部に配置されている。母線断路器容器１５ａは、遮断器容器１０ａの引出口の一つと接続されている。母線断路器容器１５ａ内には、遮断器容器１０ａ内と同種の絶縁ガスが密封されている。すなわち、絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。母線断路器容器１５ａ内のガス区画１５ｂは、遮断器容器１０ａ内のガス区画１０ｃから区画されており、両区画間でのガスの移動は遮断されている。
【００２１】
母線断路器１６は、導体２０を介して、真空遮断器１０と接続されている。母線断路器１６は、例えば接地開閉器付の断路器であり、ブレード形の可動接触子を回動させることで断路器本体または接地開閉器の入切をする。母線断路器１６を操作するための母線断路器操作装置１６ｃは例えば母線断路器１６の下部に配置されている。母線断路器容器１６ａは、遮断器容器１０ａの分岐引出口の一つと接続されている。母線断路器容器１６ａ内には、遮断器容器１０ａ内と同種の絶縁ガスが密封されている。すなわち、絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。母線断路器容器１６ａ内のガス区画１６ｂは、遮断器容器１０ａ内のガス区画１０ｃから区画されており、両区画間でのガスの移動は遮断されている。
【００２２】
ユニット５は、さらに、線路断路器２５と、線路断路器２５が収納される線路断路器容器２５ａと、線路断路器２５に接続された避雷器２７と、線路断路器２５に接続された計器用変圧器２８と、線路断路器２５に接続されたケーブルヘッド２９とを備えている。また、ユニット５は、遮断器容器１０ａと線路断路器容器２５ａとを接続する計器用変流器容器２２ａと、計器用変流器容器２２ａ内に配置される計器用変流器２２とを備えている。
【００２３】
真空遮断器１０は、遮断器容器１０ａ内に配置される導体２１と、この導体２１に接続され計器用変流器容器２２ａ内に配置される導体２３とを介して線路断路器２５に接続される。計器用変流器２２は、導体２３に流れる電流を計測する。計器用変流器２２は、導体２３を周回する環状のコイルを備えている。計器用変流器容器２２ａ内には、遮断器容器１０ａ内と同種の絶縁ガスが密封されている。すなわち、絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。計器用変流器容器２２ａは、遮断器容器１０ａの引出口の一つと接続されている。計器用変流器容器２２ａ内のガス区画２２ｂは、遮断器容器１０ａ内のガス区画１０ｃから区画されており、両区画間でのガスの移動は遮断されている。
【００２４】
線路断路器２５は、例えば接地開閉器付の断路器であり、ブレード形の可動接触子を回動させることで断路器本体または接地開閉器２６の入切をする。線路断路器２５は、架台５１上に載置され、図示しない線路断路器操作装置で操作される。線路断路器容器２５ａ内には、避雷器２７、計器用変圧器２８、およびケーブルヘッド２９が収納されている。ケーブルヘッド２９からはケーブル３０が引き出されている。避雷器２７、計器用変圧器２８、およびケーブルヘッド２９は、線路機器を構成する。
【００２５】
線路断路器容器２５ａ内には、遮断器容器１０ａ内と同種の絶縁ガスが密封されている。すなわち、絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。線路断路器容器２５ａ内のガス区画２５ｂは、計器用変流器容器２２ａ内のガス区画２２ｂから区画されており、したがって、遮断器容器１０ａ内のガス区画１０ｃから区画されている。
【００２６】
次に、ユニット５間の接続態様について説明する。ユニット５は、ユニット配列方向に複数個配列されている。図２では、例えば２個のユニット５を示している。また、母線１７，１８は、ユニット配列方向に延伸している。母線１７は、隣接するユニット５の母線断路器１５同士を接続する。母線１８は、隣接するユニット５の母線断路器１６同士を接続する。
【００２７】
母線１７は、母線容器１７ａ内に導体（図示せず）を収納して構成される。母線容器１７ａには、遮断器容器１０ａ内と同種の絶縁ガスが密封されている。すなわち、絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。なお、ユニット配列方向に隣接する母線断路器１５間の母線容器１７ａは、隣接する母線断路器１５の一方または双方のガス区画１５ｂからガス区画されていてもよいし、一方または双方と同一のガス区画を構成していてもよい。
【００２８】
母線１８は、母線容器１８ａ内に導体（図示せず）を収納して構成される。母線容器１８ａには、遮断器容器１０ａ内と同種の絶縁ガスが密封されている。すなわち、絶縁ガスは、窒素ガスおよび地球温暖化係数が１以下のガスを主成分とする大気圧以上の混合ガスである。ガス圧は、定格ガス圧または最低保障ガス圧を満たすように設定される。この混合ガスは、例えば乾燥空気である。隣接する母線断路器１６間の母線容器１８ａは、例えば、これらの母線断路器１６のガス区画１６ｂからガス区画されている。
【００２９】
次に、本実施の形態におけるガス圧の設定方法について説明する。まず、遮断器容器１０ａ内のガス圧と、計器用変流器容器２２ａ内のガス圧と、線路断路器容器２５ａ内のガス圧は互いに等しい。また、母線断路器容器１５ａ内のガス圧と、母線容器１７ａ内のガス圧と、母線断路器容器１６ａ内のガス圧と、母線容器１８ａ内のガス圧は互いに等しい。さらに、母線断路器容器１５ａ，１６ａ内のガス圧および母線容器１７ａ，１８ａ内のガス圧は、遮断器容器１０ａ内のガス圧、計器用変流器容器２２ａ内のガス圧、および線路断路器容器２５ａ内のガス圧よりも高い。
【００３０】
すなわち、本実施の形態では、線路側の圧力容器（計器用変流器容器２２ａ、線路断路器容器２５ａ）内のガス圧は遮断器容器１０ａ内のガス圧に等しく、かつ、母線側の圧力容器（母線断路器容器１５ａ，１６ａ、母線容器１７ａ，１８ａ）内のガス圧は遮断器容器１０ａ内のガス圧よりも高く設定される。母線断路器容器１５ａ，１６ａ内のガス圧は例えば０．４ＭＰａ・ａｂｓであり、遮断器容器１０ａ内のガス圧は例えば０．１５ＭＰａ・ａｂｓである。
【００３１】
上記のように、圧力設定をする理由は次の通りである。図１および図２に示す機器構成のもとで、絶縁ガスを従来のＳＦ６ガスから本実施の形態の混合ガス（窒素ガスおよび地球温暖化係数が１以下のガスを主成分とするガス）に変更する場合を考える。電流仕様から母線側の機器は線路側の機器よりもより高い絶縁耐力が要求される。そのため、母線側の機器についてはガス圧を増大させるかあるいは圧力容器のサイズを大きくすることにより絶縁性能を確保する必要があるが、線路側の機器についてはガス圧および圧力容器のサイズのいずれも変更することなく絶縁性能を確保することが可能である。そこで、本実施の形態では、母線側の圧力容器（母線断路器容器１５ａ，１６ａ、母線容器１７ａ，１８ａ）内のガス圧のみを遮断器容器１０ａ内のガス圧よりも高く設定し、かつ、線路側の圧力容器（計器用変流器容器２２ａ、線路断路器容器２５ａ）内のガス圧は遮断器容器１０ａ内のガス圧と等しくすることにより、ユニット間の距離を従来と同一にすることができる。
【００３２】
この際、線路側の圧力容器（計器用変流器容器２２ａ、線路断路器容器２５ａ）内のガス圧は増大しないので、線路側の圧力容器（計器用変流器容器２２ａ、線路断路器容器２５ａ）の板厚を厚くする必要がなく、線路側の機器の重量の増大を抑制することができる。これにより、コストの増大も抑制できる。また、ユニット間の距離は従来と同じなので、ガス絶縁開閉装置１の設置面積が増大することもない。
【００３３】
これに対し、特許文献１または２に記載のガス圧の設定方法によれば、真空遮断器以外の機器が収納される容器内のガス圧が、一律に真空遮断器が収納される容器内のガス圧よりも高く設定されている。すなわち、母線側の圧力容器内のガス圧のみならず、線路側の圧力容器内のガス圧も、真空遮断器が収納される容器内のガス圧よりも高く設定されている。そのため、母線側の圧力容器および線路側の圧力容器のいずれも板厚を厚くする必要があり、機器の重力が増大し、コストも増大することとなる。
【００３４】
以上説明したように、本実施の形態によれば、ＳＦ６ガスが使用された場合と同一のユニット間の距離を保ちつつ、ＳＦ６ガスを使用しないことによる環境調和、ならびに、機器の小型および軽量化を実現することができる。
【００３５】
なお、本実施の形態では、真空遮断器１０はいわゆる縦型であり、遮断器容器１０ａの軸方向が設置面９０に対して垂直となるように配置されているが、本実施の形態は、真空遮断器１０がいわゆる横型であり、遮断器容器１０ａの軸方向が設置面９０に対して平行となるように配置されている場合にも同様に適用することができる。
【００３６】
実施の形態２．
図３は、本実施の形態に係るガス絶縁開閉装置の構成を示す縦断面図である。ガス絶縁開閉装置２は、複数のユニット６を母線１７，１８で互いに接続して構成されている。
【００３７】
ユニット６の構成は、遮断器容器１０ａ内の構成を除き、図１に示す構成と同じである。また、ユニット６間の接続態様も、図２と同じである。そのため、以下では、主に図１との差異について説明する。また、図３では図１と同一の構成要素には同一の符号を付している。
【００３８】
図３に示すように、ユニット６は、遮断器容器１０ａと、遮断器容器１０ａ内に収納される真空遮断器１０と、遮断器容器１０ａ内に収納される母線側の計器用変流器１９とを備えている。
【００３９】
遮断器容器１０ａは、筒状（例えば円筒状）の金属容器である。遮断器容器１０ａは、軸方向に長尺であり、軸方向が設置面９０に対して垂直になるように配置されている。遮断器容器１０ａ内には、絶縁ガスとして、窒素ガスおよび地球温暖化係数が１以下のガスを主成分とする大気圧以上の混合ガスが密封されている。なお、線路側の圧力容器（計器用変流器容器２２ａ、線路断路器容器２５ａ）内のガス圧は遮断器容器１０ａ内のガス圧に等しく、かつ、母線側の圧力容器（母線断路器容器１５ａ，１６ａ、母線容器１７ａ，１８ａ）内のガス圧は遮断器容器１０ａ内のガス圧よりも高く設定される点は、実施の形態１と同じである。
【００４０】
真空遮断器１０は、遮断器容器１０ａ内で、計器用変流器１９よりも下方に配置されている。計器用変流器１９は、遮断器容器１０ａの上端部に配置されている。
【００４１】
真空遮断器１０は、真空遮断器１０の長手方向が遮断器容器１０ａの軸方向に対して傾斜するように配置されている。詳細には、真空遮断器１０は、真空遮断器１０の上端部が線路断路器２５の側に向うように真空遮断器１０の長手方向が遮断器容器１０ａの軸方向に対して傾斜するようにして配置されている。真空遮断器１０の長手方向は遮断方向である。
【００４２】
遮断器容器１０ａ内では、母線断路器１５，１６と真空遮断器１０とを接続する導体４０が引き回されている。計器用変流器１９は、導体４０を周回する環状のコイルを備えており、導体４０を流れる電流を計測する。導体４０は、母線断路器１５，１６に接続される軸平行部４０ａと、真空遮断器１０に接続される軸平行部４０ｂとを備えている。ここで、軸平行部４０ａ，４０ｂは遮断器容器１０ａの軸方向に平行な部分であり、これらの間には一定の距離が確保されている。導体４０は、母線断路器１５，１６から軸平行部４０ａに沿って上方へ引き回され、遮断器容器１０ａの上端部で折り曲げられ、さらに、軸平行部４０ｂに沿って下方へ引き回される。そして、軸平行部４０ｂは、真空遮断器１０の上端部に接続される。この際、真空遮断器１０の上端部は、線路断路器２５の側に傾斜しているので、軸平行部４０ｂの端部を容易に真空遮断器１０の上端部の側面に接続することができる。また、真空遮断器１０の下端部に接続された導体４１が、遮断器容器１０ａ内を引き回されて、計器用変流器容器２２ａ内の導体２３に接続される。
【００４３】
このように、本実施の形態では、真空遮断器１０の両側に計器用変流器１９，２３を備えた構成において、母線側の計器用変流器１９を遮断器容器１０ａ内に配置している。さらに、遮断器容器１０ａ内では、真空遮断器１０の長手方向を遮断器容器１０ａの軸線方向に対して傾斜させている。こうすることで、遮断器容器１０ａ内で引き回された導体４０の軸平行部４０ａ，４０ｂ間に絶縁性能上必要な間隔を確保することができる。
【００４４】
次に、比較例について説明する。図４は、比較例に係るガス絶縁開閉装置の構成を示す縦断面図である。ガス絶縁開閉装置３は、複数のユニット７を母線１７，１８で互いに接続して構成されている。ユニット７の構成は、遮断器容器１０ａ内の構成を除き、図３に示す構成と同じである。また、ユニット７間の接続態様も、図２と同じである。そのため、以下では、主に図３との差異について説明する。また、図４では図３と同一の構成要素には同一の符号を付している。
【００４５】
図４に示すように、ユニット７は、遮断器容器１０ａと、遮断器容器１０ａ内に収納される真空遮断器１０と、遮断器容器１０ａ内に収納される母線側の計器用変流器１９とを備えている。真空遮断器１０は、遮断器容器１０ａ内で、計器用変流器１９よりも下方に配置されている。真空遮断器１０は、導体４２により母線断路器１５，１６に接続され、導体４３により計器用変流器容器２２ａ内の導体２３に接続されている。
【００４６】
ただし、本比較例では、真空遮断器１０の長手方向は遮断器容器１０ａの軸線方向と平行である。そのため、母線断路器１５，１６と真空遮断器１０とを接続する導体４２の引き回し経路が図３とは異なる。詳細には、導体４２は、母線断路器１５，１６に接続される軸平行部４２ａと、真空遮断器１０に接続される軸平行部４２ｂとを備えているが、真空遮断器１０の長手方向が遮断器容器１０ａの軸線方向に対して傾斜していないので、遮断器容器１０ａの径が図３と同一の場合には、軸平行部４２ａ，４２ｂが互いに近接していまい、絶縁距離を確保することが困難となる。軸平行部４２ａ，４２ｂ間で一定の絶縁距離を確保するためには、遮断器容器１０ａの径をより大きくする必要があり、機器の大型化につながる。
【００４７】
また、図４では、軸平行部４２ｂの端部を真空遮断器１０の上端部に接続する際に、軸平行部４２ｂの端部を径方向に折り曲げて真空遮断器１０の上端部の側面に接続する必要がある。したがって、導体４２の引き回しが複雑になる。これに対し、図３では、軸平行部４０ｂの端部を折り曲げることなく真空遮断器１０の上端部の側面に接続することができるので、導体４０の引き回しが簡素化される。
【００４８】
以上説明したように、本実施の形態では、真空遮断器１０の両側に計器用変流器１９，２３を設置する構成において、真空遮断器１０の長手方向を遮断器容器１０ａの軸方向に対して傾斜させ、母線側の計器用変流器１９を遮断器容器１０ａ内に配置するようにしている。
【００４９】
そのため、計器用変流器１９を遮断器容器１０ａ外に設ける構成に比べて、ユニット長（図３における左右方向のユニット７の長さ）を抑制することができる。また、図４の場合に比べて、導体４２の引き回しが簡素化され、遮断器容器１０ａの径を拡大することなく、計器用変流器１９を遮断器容器１０ａ内に配置することができ、機器の小型化が可能となる。
【００５０】
なお、本実施の形態では、真空遮断器１０を遮断器容器１０ａ内の下端部に配置し、計器用変流器１９を遮断器容器１０ａ内の上端部に配置しているが、真空遮断器１０と計器用変流器１９の配置を相互に入れ替えることも可能である。この場合、真空遮断器１０の下端部が線路断路器２５の側に向うように真空遮断器１０の長手方向が遮断器容器１０ａの軸方向に対して傾斜するようにして配置すればよい。ただし、遮断器操作装置１１は、設置面９０上に配置されているので、本実施の形態の配置構成がより好ましい。
【００５１】
本実施の形態のその他の構成、作用効果は実施の形態１と同様である。
【産業上の利用可能性】
【００５２】
以上のように、本発明は、ガス絶縁開閉装置として有用である。
【符号の説明】
【００５３】
１，２，３  ガス絶縁開閉装置、５，６，７  ユニット、１０  真空遮断器、１０ａ  遮断器容器、１０ｂ  真空容器、１０ｃ，１５ｂ，１６ｂ，２２ｂ，２５ｂ  ガス区画、１１  遮断器操作装置、１５，１６  母線断路器、１５ａ，１６ａ  母線断路器容器、１５ｃ，１６ｃ  母線断路器操作装置、１７，１８  母線、１７ａ，１８ａ  母線容器、１９，２２  計器用変流器、２０，２１，２３，４０，４１，４２，４３  導体、２２ａ  計器用変流器容器、２５  線路断路器、２５ａ  線路断路器容器、２６  接地開閉器、２７  避雷器、２８  計器用変圧器、２９  ケーブルヘッド、３０  ケーブル、４０ａ，４０ｂ，４２ａ，４２ｂ  軸平行部、５０，５１  架台、９０  設置面。
【要約】
絶縁ガスとして窒素ガスおよび地球温暖化係数が１以下のガスを主成分とする大気圧以上の混合ガスが使用されるガス絶縁開閉装置（１）において、真空遮断器（１０）が収納された遮断器容器（１０ａ）内のガス圧は線路断路器容器（２５ａ）内のガス圧に等しく、母線容器（１７ａ，１８ａ）内のガス圧は母線断路器容器（１５ａ，１６ａ）内のガス圧に等しく、母線断路器容器（１５ａ，１６ａ）内のガス圧および母線容器（１７ａ，１８ａ）内のガス圧は、遮断器容器（１０ａ）内のガス圧および線路断路器容器（２５ａ）内のガス圧よりも高い。【図１】
0005452780.tif 000002
【図２】
0005452780.tif 000003
【図３】
0005452780.tif 000004
【図４】
0005452780.tif 000005